【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
電源端子、グラウンド端子及び信号端子を有し、前記電源端子と前記グラウンド端子との間に動作に必要な直流電圧が印加され、前記信号端子からデジタル信号を送信可能とする送信回路と、
前記送信回路が実装されたプリント配線板と、を備え、
前記プリント配線板は、
前記送信回路の電源端子に接続された電源配線パターンと、
前記送信回路のグラウンド端子に接続されたグラウンド配線パターンと、
前記送信回路の信号端子に接続された信号配線パターンと、
前記電源配線パターン、前記グラウンド配線パターン及び前記信号配線パターンのうち少なくとも１つの配線パターンの第１接続部分に接続され、少なくとも前記デジタル信号の伝送レートに相当する基本周波数の成分の通過を低減させる配線長に設定された第１オープンスタブ配線パターンと、
前記少なくとも１つの配線パターンの第２接続部分に接続され、少なくとも前記基本周波数の２倍の周波数の成分の通過を低減させる配線長に設定された第２オープンスタブ配線パターンと、を有し、
前記少なくとも１つの配線パターンの経路上で、前記第１接続部分が前記第２接続部分よりも前記送信回路の側にあり、
前記少なくとも１つの配線パターンにおいて前記第１接続部分と前記第２接続部分との間の部分の配線長が、前記基本周波数に対する電気長で２／（１０×Ｎ）波長以上かつ３／（１０×Ｎ）波長以下の範囲（Ｎは１以上の整数）に設定されていることを特徴とするプリント回路板。
【請求項２】
電源端子、グラウンド端子及び信号端子を有し、前記電源端子と前記グラウンド端子との間に動作に必要な直流電圧が印加され、前記信号端子からデジタル信号を送信可能とする送信回路と、
前記送信回路が実装されたプリント配線板と、を備え、
前記プリント配線板は、
前記送信回路の電源端子に接続された電源配線パターンと、
前記送信回路のグラウンド端子に接続されたグラウンド配線パターンと、
前記送信回路の信号端子に接続された信号配線パターンと、
前記電源配線パターン、前記グラウンド配線パターン及び前記信号配線パターンのうち少なくとも１つの配線パターンの第１接続部分に接続され、少なくとも前記デジタル信号の伝送レートに相当する基本周波数の成分の通過を低減させる配線長に設定された第１オープンスタブ配線パターンと、
前記少なくとも１つの配線パターンの第２接続部分に接続され、少なくとも前記基本周波数の２倍の周波数の成分の通過を低減させる配線長に設定された第２オープンスタブ配線パターンと、を有し、
前記少なくとも１つの配線パターンの経路上で、前記第１接続部分が前記第２接続部分よりも前記送信回路の側にあり、
前記少なくとも１つの配線パターンにおいて前記第１接続部分と前記第２接続部分との間の部分の配線長が、前記基本周波数に対する電気長で１／（１００×Ｎ）波長以上かつ１／（２５×Ｎ）波長以下の範囲（Ｎは１以上の整数）に設定されていることを特徴とするプリント回路板。
【請求項３】
電源端子、グラウンド端子及び信号端子を有し、前記電源端子と前記グラウンド端子との間に動作に必要な直流電圧が印加され、前記信号端子からデジタル信号を送信可能とする送信回路と、
前記送信回路が実装されたプリント配線板と、を備え、
前記プリント配線板は、
前記送信回路の電源端子に接続された電源配線パターンと、
前記送信回路のグラウンド端子に接続されたグラウンド配線パターンと、
前記送信回路の信号端子に接続された信号配線パターンと、
前記電源配線パターン、前記グラウンド配線パターン及び前記信号配線パターンのうち少なくとも１つの配線パターンの第１接続部分に接続され、少なくとも前記デジタル信号の伝送レートに相当する基本周波数の成分の通過を低減させる配線長に設定された第１オープンスタブ配線パターンと、
前記少なくとも１つの配線パターンの第２接続部分に接続され、少なくとも前記基本周波数の２倍の周波数の成分の通過を低減させる配線長に設定された第２オープンスタブ配線パターンと、を有し、
前記少なくとも１つの配線パターンの経路上で、前記第２接続部分が前記第１接続部分よりも前記送信回路の側にあり、
前記少なくとも１つの配線パターンにおいて前記第１接続部分と前記第２接続部分との間の部分の配線長が、前記基本周波数に対する電気長で１／（１００×Ｎ）波長以上かつ１／（２０×Ｎ）波長以下の範囲（Ｎは１以上の整数）に設定されていることを特徴とするプリント回路板。
【請求項４】
電源端子、グラウンド端子及び信号端子を有し、前記電源端子と前記グラウンド端子との間に動作に必要な直流電圧が印加され、前記信号端子からデジタル信号を送信可能とする送信回路と、
前記送信回路が実装されたプリント配線板と、を備え、
前記プリント配線板は、
前記送信回路の電源端子に接続された電源配線パターンと、
前記送信回路のグラウンド端子に接続されたグラウンド配線パターンと、
前記送信回路の信号端子に接続された信号配線パターンと、
前記電源配線パターン、前記グラウンド配線パターン及び前記信号配線パターンのうち少なくとも１つの配線パターンの第１接続部分に接続され、少なくとも前記デジタル信号の伝送レートに相当する基本周波数の成分の通過を低減させる配線長に設定された第１オープンスタブ配線パターンと、
前記少なくとも１つの配線パターンの第２接続部分に接続され、少なくとも前記基本周波数の２倍の周波数の成分の通過を低減させる配線長に設定された第２オープンスタブ配線パターンと、を有し、
前記少なくとも１つの配線パターンの経路上で、前記第２接続部分が前記第１接続部分よりも前記送信回路の側にあり、
前記少なくとも１つの配線パターンにおいて前記第１接続部分と前記第２接続部分との間の部分の配線長が、前記基本周波数に対する電気長で３１／（１００×Ｎ）波長以上かつ３７／（１００×Ｎ）波長以下の範囲（Ｎは１以上の整数）に設定されていることを特徴とするプリント回路板。
【請求項５】
前記第１オープンスタブ配線パターンの配線長が、前記基本周波数に対する電気長で１／４波長に対し±１０［％］の範囲内に設定されていることを特徴とする請求項１乃至４のいずれか１項に記載のプリント回路板。
【請求項６】
前記第２オープンスタブ配線パターンの配線長が、前記基本周波数に対する電気長で１／８波長に対し±１０［％］の範囲内に設定されていることを特徴とする請求項１乃至５のいずれか１項に記載のプリント回路板。
【請求項７】
前記第１オープンスタブ配線パターンと前記第２オープンスタブ配線パターンとが、互いに対向するように前記少なくとも１つの配線パターンから同じ側に延びて形成されていることを特徴とする請求項１乃至６のいずれか１項に記載のプリント回路板。
【請求項８】
前記第１オープンスタブ配線パターンと前記第２オープンスタブ配線パターンとが、前記少なくとも１つの配線パターンから互いに反対側に延びて形成されていることを特徴とする請求項１乃至６のいずれか１項に記載のプリント回路板。
【請求項９】
請求項１乃至８のいずれか１項に記載のプリント回路板を備えた電子機器。
【手続補正２】
【補正対象書類名】明細書
【補正対象項目名】発明の名称
【補正方法】変更
【補正の内容】
【発明の名称】プリント回路板及び電子機器
【手続補正３】
【補正対象書類名】明細書
【補正対象項目名】０００１
【補正方法】変更
【補正の内容】
【０００１】
本発明は、送信回路が実装されたプリント配線板を備えたプリント回路板及び電子機器に関する。
【手続補正４】
【補正対象書類名】明細書
【補正対象項目名】００１０
【補正方法】変更
【補正の内容】
【００１０】
そこで、本発明は、プリント配線板からの放射電磁波ノイズを抑制したプリント回路板及び電子機器を提供する。